(57)【要約】【課題】  シール機構の低コスト化とシール性能確保との両立を図る。【解決手段】  ケース１１の側面壁部１１ｂのフット開口部２７を略扇形の開口形状とし、この略扇形の開口形状の周縁にシール面Ｓ１、Ｓ２を形成し、フットドア２８に、フット開口部２７上を移動する略扇形の樹脂製ドア基板２８ａと、ドア基板２８ａの外縁部に設けられたリップ状シール材３１、３２とを備え、リップ状シール材３１、３２は熱可塑性エラストマーにより樹脂製ドア基板２８ａと一体成形し、リップ状シール材３１、３２はケース１１内の風圧を受けてシール面Ｓ１、Ｓ２に圧接して自己シールする。【選択図】        図５
2005119451.tif 000002
【特許請求の範囲】
【請求項１】
車室内へ向かって流れる空気の通路を形成するケース（１１）と、
前記ケース（１１）の壁部（１１ｂ）に設けられた開口部（２７）と、
前記壁部（１１ｂ）に沿って移動することにより前記開口部（２７）を開閉するドア手段（２８）とを備え、
前記開口部（２７）は略扇形の開口形状になっており、前記略扇形の開口形状の周縁にシール面（Ｓ１、Ｓ２）が形成されており、
前記ドア手段（２８）は前記壁部（１１ｂ）に沿って前記開口部（２７）上を移動する略扇形の樹脂製ドア基板（２８ａ）と、前記ドア基板（２８ａ）の外縁部に設けられ、薄板形状からなるリップ状シール材（３１、３２）とを有し、
前記リップ状シール材（３１、３２）は熱可塑性エラストマーにより前記樹脂製ドア基板（２８ａ）と一体成形され、
更に、前記リップ状シール材（３１、３２）は前記シール面（Ｓ１、Ｓ２）に対して前記ケース（１１）内の風圧を受けて前記シール面（Ｓ１、Ｓ２）に圧接するように配置されていることを特徴とする車両用空調装置。
【請求項２】
前記リップ状シール材（３１、３２）の先端部に沿って堤状の厚肉部（３１ｃ、３２ｃ）が形成されていることを特徴とする請求項１に記載の車両用空調装置。
【請求項３】
前記略扇形の開口形状の周縁に前記壁部（１１ｂ）から前記ケース（１１）の内側に突出する内側筒状部（２７０）を形成し、
前記内側筒状部（２７０）の略扇形の形状のうち、略コの字形状部分の外側面を第１シール面（Ｓ１）として構成し、
前記内側筒状部（２７０）の略扇形の形状のうち、前記略コの字形状部分を除く残余の一辺部の突出高さを前記略コの字形状部分の突出高さより所定量大きくして端面突出部（２７０ａ）を構成し、前記端面突出部（２７０ａ）の内側面を第２シール面（Ｓ２）として構成し、
一方、前記ドア基板（２８ａ）の略扇形の外縁部には、前記第１シール面（Ｓ１）に対応して略コの字形状に配置される第１リップ状シール材（３１）と、前記第２シール面（Ｓ２）に対応して配置される第２リップ状シール材（３２）とが設けられ、
前記シール面が、前記第１シール面（Ｓ１）と前記第２シール面（Ｓ２）とにより構成され、
前記リップ状シール材が、前記第１リップ状シール材（３１）と前記第２リップ状シール材（３２）とにより構成されることを特徴とする請求項１または２に記載の車両用空調装置。
【請求項４】
前記第２シール面（Ｓ２）および前記第２リップ状シール材（３２）は直線状に形成されていることを特徴とする請求項３に記載の車両用空調装置。
【請求項５】
前記第１リップ状シール材（３１）と前記第２リップ状シール材（３２）との間を薄膜（３３、３４）により接続することを特徴とする請求項３または４に記載の車両用空調装置。
【請求項６】
前記内側筒状部（２７０）の外側面に、前記第１シール面（Ｓ１）と前記第１リップ状シール材（３１）との摺動面積を減少する面取り部（２７０ｂ）が形成されていることを特徴とする請求項３ないし５のいずれか１つに記載の車両用空調装置。
【請求項７】
前記ドア手段（２８）は、前記ドア基板（２８ａ）の面と垂直な方向に延びる回転軸（２９）を中心として回転可能に構成されていることを特徴とする請求項１ないし６のいずれか１つに記載の車両用空調装置。
【請求項８】
前記ケース（１１）は車両計器盤内側に配置され、前記壁部は前記ケース（１１）の車両幅方向の左右両側の側面壁部（１１ｂ）であり、
前記開口部は、前記ケース（１１）の左右両側から乗員足元に向かって空気を吹き出すフット開口部（２７）であり、
前記ドア手段は前記ケース（１１）の左右両側に配置されたフットドア（２８）であり、
前記左右両側のフットドア（２８）を前記回転軸（２９）により一体に連結することを特徴とする請求項７に記載の車両用空調装置。
【発明の詳細な説明】
【技術分野】
【０００１】
本発明は、車両用空調装置における空気通路開閉機構の改良に関する。
【背景技術】
【０００２】
従来、車両用空調装置において、空調ユニットの熱交換器を内蔵するケースの左右の側面壁部にフット開口部を開口し、この左右の側面壁部に沿って移動する左右のフットドアを設け、この左右のフットドアにより左右のフット開口部を開閉する構成のものが知られている（例えば、特許文献１参照）。
【０００３】
この従来技術によると、左右のフットドアの間に所定の隙間を隔てて他のドア、具体的にはフェイスドアを配置できる。すなわち、左右のフットドアとフェイスドアとを、車両幅方向からみたとき両ドアの作動軌跡がラップするように配置できる。これにより、フットドアとフェイスドアの両者を包含するドア設置スペースを小型化して、空調ユニットの体格を小型化できる利点がある。
【特許文献１】特開２００２−３０７９２９号公報
【発明の開示】
【発明が解決しようとする課題】
【０００４】
ところで、上記従来技術では、ケースの左右の側面壁部においてフット開口部の周縁にケース内側へ突出する閉ループ状の内側筒状部を形成し、この内側筒状部のシール面に対応するシール材をフットドアに備え、フットドアが内側筒状部の先端部上を移動するとともに、フット開口部の全閉時には、フットドアのシール材が内側筒状部のシール面に押圧されるようにし、これにより、フット開口部全閉時のシール機能を発揮している。
【０００５】
シール材はパッキン状の弾性部材（例えば、発砲樹脂材）を用いて構成され、フットドアに対して接着等の手段にて固着する旨特許文献１に記載されているが、シール材が内側筒状部のシール面に対応した複雑な形状であるとともにシール材の材質が発砲樹脂材であるので、シール材を樹脂製フットドアと一体成形するには技術的課題が多い。  そのため、シール材を手作業でフットドアに接着することになり、作業性が非常に悪く、コストアップの原因となる。また、手作業であるため、シール材の接着構造が品質的にも安定しないという不具合がある。
【０００６】
なお、特許文献１には、シール材として、ゴム系の弾性材からなり、リップ状のシール形状を持つシール材を使用してもよい旨の他の例が記載されているが、この他の例は文章による記述のみで、シール材とケース側の内側筒状部との配置関係が図示されていないので、ゴム系の弾性材からなるシール材とケース側シール面との具体的シール機構は不明である。
【０００７】
本発明は上記点に鑑みてなされたもので、車室内へ向かって流れる空気の通路を形成するケースの壁部に沿って移動するドア手段により、ケース壁部の開口部を開閉する車両用空調装置において、シール機構の低コスト化とシール性能確保との両立を図ることを目的とする。
【課題を解決するための手段】
【０００８】
上記目的を達成するため、請求項１に記載の発明では、車室内へ向かって流れる空気の通路を形成するケース（１１）と、
前記ケース（１１）の壁部（１１ｂ）に設けられた開口部（２７）と、
前記壁部（１１ｂ）に沿って移動することにより前記開口部（２７）を開閉するドア手段（２８）とを備え、
前記開口部（２７）は略扇形の開口形状になっており、前記略扇形の開口形状の周縁にシール面（Ｓ１、Ｓ２）が形成されており、
前記ドア手段（２８）は前記壁部（１１ｂ）に沿って前記開口部（２７）上を移動する略扇形の樹脂製ドア基板（２８ａ）と、前記ドア基板（２８ａ）の外縁部に設けられ、薄板形状からなるリップ状シール材（３１、３２）とを有し、
前記リップ状シール材（３１、３２）は熱可塑性エラストマーにより前記樹脂製ドア基板（２８ａ）と一体成形され、
更に、前記リップ状シール材（３１、３２）は前記シール面（Ｓ１、Ｓ２）に対して前記ケース（１１）内の風圧を受けて前記シール面（Ｓ１、Ｓ２）に圧接するように配置されていることを特徴としている。
【０００９】
これによると、ケース（１１）内の風圧を利用してリップ状シール材（３１、３２）をケース側のシール面（Ｓ１、Ｓ２）に圧接できる。すなわち、リップ状シール材（３１、３２）に自己シール作用を発揮させることができる。
【００１０】
そのため、製造上の寸法バラツキ等の要因によってリップ状シール材（３１、３２）のシール面（Ｓ１、Ｓ２）に対する押しつけ力が低下する場合でも、自己シール作用の発揮によってシール性を良好に確保できる。
【００１１】
しかも、リップ状シール材（３１、３２）の材質として用いる熱可塑性エラストマーは、常温ではゴム弾性を示し、一方、高温加熱時には溶融して流動性を示すものであるから、熱可塑性樹脂と同様に射出成形できるものである。そのため、リップ状シール材（３１、３２）を、ドア手段（２８）の樹脂製ドア基板（２８ａ）と容易に一体成形できる。
【００１２】
よって、従来技術のように、パッキン状の弾性部材からなるシール材を手作業でドア基板部に接着するという面倒な作業を廃止でき、ドア手段（２８）の製造コストを低減できる。以上により、シール機構の低コスト化とシール性能確保とを両立できる。
【００１３】
請求項２に記載の発明では、請求項１に記載の車両用空調装置において、前記リップ状シール材（３１、３２）の先端部に沿って堤状の厚肉部（３１ｃ、３２ｃ）が形成されていることを特徴とする。
【００１４】
これにより、薄板形状からなるリップ状シール材（３１、３２）の先端部の剛性を高めて、リップ状シール材（３１、３２）の先端部が剛性不足により波状に変形することを防止でき、シール性をより一層向上できる。
【００１５】
請求項３に記載の発明では、請求項１または２に記載の車両用空調装置において、前記略扇形の開口形状の周縁に前記壁部（１１ｂ）から前記ケース（１１）の内側に突出する内側筒状部（２７０）を形成し、
前記内側筒状部（２７０）の略扇形の形状のうち、略コの字形状部分の外側面を第１シール面（Ｓ１）として構成し、
前記内側筒状部（２７０）の略扇形の形状のうち、前記略コの字形状部分を除く残余の一辺部の突出高さを前記略コの字形状部分の突出高さより所定量大きくして端面突出部（２７０ａ）を構成し、前記端面突出部（２７０ａ）の内側面を第２シール面（Ｓ２）として構成し、
一方、前記ドア基板（２８ａ）の略扇形の外縁部には、前記第１シール面（Ｓ１）に対応して略コの字形状に配置される第１リップ状シール材（３１）と、前記第２シール面（Ｓ２）に対応して配置される第２リップ状シール材（３２）とが設けられ、
前記シール面が、前記第１シール面（Ｓ１）と前記第２シール面（Ｓ２）とにより構成され、前記リップ状シール材が、前記第１リップ状シール材（３１）と前記第２リップ状シール材（３２）とにより構成されることを特徴としている。
【００１６】
このように、略コの字形状部分からなる第１シール面（Ｓ１）に端面突出部（２７０ａ）の内側面により構成される第２シール面（Ｓ２）を組み合わせ、また、第１シール面（Ｓ１）に対応して略コの字形状に配置される第１リップ状シール材（３１）に第２シール面（Ｓ２）に対応して配置される第２リップ状シール材（３２）を組み合わせるによって、
ドア手段（２８）が開口部（２７）の全開位置から開口部（２７）の全閉近傍の位置までは、第１、第２シール面（Ｓ１、Ｓ２）と第１、第２リップ状シール材（３１、３２）とが離れた状態にて、ドア手段（２８）を操作できる。このため、略扇形の開口形状からなる開口部（２７）の開閉機能を小さいドア操作力にて良好に発揮できる。
【００１７】
請求項４に記載の発明のように、請求項３に記載の車両用空調装置において、前記第２シール面（Ｓ２）および前記第２リップ状シール材（３２）は具体的には直線状に形成することができる。
【００１８】
請求項５に記載の発明では、請求項３または４に記載の車両用空調装置において、前記第１リップ状シール材（３１）と前記第２リップ状シール材（３２）との間を薄膜（３３、３４）により接続することを特徴としている。
【００１９】
これによると、第１、第２シール面（Ｓ１、Ｓ２）と第１、第２リップ状シール材（３１、３２）との間に生じる隙間（ｉ）を薄膜（３３、３４）により覆って、この隙間からの風漏れを防止でき、シール性を向上できる。
【００２０】
請求項６に記載の発明では、請求項３ないし５のいずれか１つに記載の車両用空調装置において、前記内側筒状部（２７０）の外側面に、前記第１シール面（Ｓ１）と前記第１リップ状シール材（３１）との摺動面積を減少する面取り部（２７０ｂ）が形成されていることを特徴とする。
【００２１】
これによると、第１シール面（Ｓ１）と第１リップ状シール材（３１）との摺動摩擦を低減して、ドア操作力を低減できる。
【００２２】
請求項７に記載の発明のように、請求項１ないし６のいずれか１つに記載の車両用空調装置において、前記ドア手段（２８）は、前記ドア基板（２８ａ）の面と垂直な方向に延びる回転軸（２９）を中心として回転可能に構成できる。
【００２３】
請求項８に記載の発明では、請求項７に記載の車両用空調装置において、前記ケース（１１）は車両計器盤内側に配置され、前記壁部は前記ケース（１１）の車両幅方向の左右両側の側面壁部（１１ｂ）であり、
前記開口部は、前記ケース（１１）の左右両側から乗員足元に向かって空気を吹き出すフット開口部（２７）であり、
前記ドア手段は前記ケース（１１）の左右両側に配置されたフットドア（２８）であり、
前記左右両側のフットドア（２８）を前記回転軸（２９）により一体に連結することを特徴とする。
【００２４】
これにより、車両計器盤内側にて車両幅方向の左右両側に位置するケース側面壁部（１１ｂ）のフット開口部（２７）をフットドア（２８）により開閉するに際して、上記各請求項の作用効果を発揮できる。
【００２５】
なお、上記各手段の括弧内の符号は、後述する実施形態に記載の具体的手段との対応関係を示すものである。
【発明を実施するための最良の形態】
【００２６】
以下本発明の一実施形態を図に基づいて説明する。図１は本実施形態における空調ユニット１０部分の断面図であり、図２は空調ユニット１０部分の車室側からみた正面図である。この図１、図２に示す空調ユニット１０部の全体構成は特許文献１（特開２００２−３０７９２９号公報）と同じでよいので、以下、空調ユニット１０部の概要を説明する。
【００２７】
本実施形態による車両用空調装置の通風系（室内ユニット部）は、大別して、空調ユニット１０と図示しない送風機ユニットとの２つの部分に分かれている。送風機ユニットは車室内の計器盤下方部のうち、中央部から助手席側へオフセットして配置されており、これに対し、空調ユニット１０は車室内の計器盤内側のうち、車両幅（左右）方向の略中央部に配置されている。
【００２８】
送風機ユニットは周知のごとく内気（車室内空気）と外気（車室外空気）を切替導入する内外気切替箱と、この内外気切替箱を通して空気を吸入して送風する送風機（具体的には遠心式電動送風機）とから構成されている。
【００２９】
空調ユニット１０部は、１つの共通の空調ケース１１内に蒸発器１２とヒータコア１３を両方とも一体的に内蔵するタイプのものである。空調ケース１１はポリプロピレンのような、ある程度の弾性を有し、強度的にも優れた樹脂の成形品からなる。空調ケース１１は具体的には複数の分割ケースからなり、この複数の分割ケースを金属バネクリップ、ネジ等の締結手段により一体に結合するようになっている。
【００３０】
空調ユニット１０部は、計器盤内側の車両幅方向の略中央部において、車両の前後、上下、左右方向に対して、図１、図２に示す形態で配置されている。空調ケース１１の、最も車両前方側部位の側面（助手席側の側面）には空気入口１４が形成されている。この空気入口１４には、前述の送風機ユニットから送風される空調空気が流入する。
【００３１】
空調ケース１１内において空気入口１４直後の部位に蒸発器１２が配置され、蒸発器１２の前面には空気入口１４からの送風空気の全量が流入するようになっている。この蒸発器１２は周知のごとく冷凍サイクルの冷媒の蒸発潜熱を送風空気から吸熱して、送風空気を冷却する冷房用熱交換器である。
【００３２】
そして、蒸発器１２の空気流れ下流側（車両後方側）に、所定の間隔を開けてヒータコア１３が配置されている。このヒータコア１３は、蒸発器１２を通過した冷風を再加熱するものであって、その内部に高温の温水（エンジン冷却水）が流れ、この温水を熱源として空気を加熱する温水式暖房用熱交換器である。
【００３３】
空調ケース１１内の空気通路において、ヒータコア１３の上方部位には、このヒータコア１３をバイパスして空気（冷風）が流れる冷風バイパス通路１５が形成されている。そして、ヒータコア１３と蒸発器１２との間の部位には平板状のエアミックスドア１６が配置されている。このエアミックスドア１６は回転軸１７を中心として車両上下方向に回転可能になっている。
【００３４】
エアミックスドア１６は、ヒータコア１３で加熱される温風と、冷風バイパス通路１５を通ってヒータコア１３をバイパスする冷風との風量割合を調整し、この風量割合の調整により車室内への吹出空気温度を調整する。エアミックスドア１６は車室内吹出空気の温度調整手段をなす。
【００３５】
回転軸１７の一端部は空調ケース１１の外部に突出して、図示しないリンク機構を介して温度調整操作機構に連結される。この温度調整操作機構は、サーボモータ等を用いたアクチュエータ機構または手動操作機構により構成され、エアミックスドア１６の回転位置を調整する。
【００３６】
そして、空調ケース１１において、ヒータコア１３の空気下流側（車両後方側の部位）には、ヒータコア１３の直後から上方に向かう温風通路１８が形成されている。温風通路１８の下流側（上方側）はヒータコア１３の上方部において冷風バイパス通路１５の下流側と合流し、冷風と温風の混合を行う空気混合部１９を形成している。
【００３７】
一方、空調ケース１１の上面壁部１１ａにおいて空気混合部１９の直ぐ上方部位、換言すると、空調ケース１１のうち上面壁部１１ａの車両後方側の部位に、フェイス開口部２０、２１が開口している。このフェイス開口部２０、２１には空気混合部１９から温度制御された空調風が流入する。このフェイス開口部２０、２１は図２に示すように車両幅方向に４つに分割して配置されている。
【００３８】
車両幅（左右）方向の中心部に位置する２つのフェイス開口部はセンターフェイス開口部２０であり、このセンターフェイス開口部２０の左右両側部にサイドフェイス開口部２１が配置されている。そして、センターフェイス開口部２０は図示しないセンターフェイスダクトを介して、計器盤幅方向の中央部上方側に配置されているセンターフェイス吹出口に接続され、このセンターフェイス吹出口から空調風（冷風）を車室内幅方向の中央部において乗員の上半身に向けて吹き出す。
【００３９】
また、サイドフェイス開口部２１は、図示しないサイドフェイスダクトを介して、計器盤幅方向の左右両側部に配置されているサイドフェイス吹出口に接続され、このサイドフェイス吹出口から空調風（冷風または温風）を車室内幅方向の左右両側部において乗員の上半身側または側面窓ガラス側へ向けて吹き出す。
【００４０】
空調ケース１１内において、フェイス開口部２０、２１の下側部にフェイスドア２２を配置してフェイス開口部２０、２１を開閉するようになっている。フェイスドア２２は図２に示すように車両幅方向に延びる細長い長方形の板状ドアであり、空調ケース１１の上面壁部１１ａの車両後方側端部に配置された回転軸２３に連結され、この回転軸２３を中心として回転可能になっている。
【００４１】
また、空調ケース１１の上面壁部１１ａにおいてフェイス開口部２０、２１より車両前方側の部位にデフロスタ開口部２４が開口している。このデフロスタ開口部２４は空気混合部１９から温度制御された空調風が流入するものであって、図示しないデフロスタダクトを介してデフロスタ吹出口に接続され、このデフロスタ吹出口から、車両前面窓ガラスの内面に向けて空調風を吹き出す。
【００４２】
空調ケース１１内においてデフロスタ開口部２４の下側部にデフロスタドア２５を配置して、デフロスタ開口部２４を開閉するようになっている。デフロスタドア２５はフェイスドア２２と同様に車両幅方向に延びる細長い長方形の板状ドアであり、このデフロスタドア２５は空調ケース１１の内側にてデフロスタ開口部２４の車両前方側に配置された回転軸２６に連結され、この回転軸２６を中心として回転可能になっている。
【００４３】
次に、空調ケース１１において車両幅方向の左右両側の側面壁部１１ｂ（図２参照）にはフット開口部２７が開口している。このフット開口部２７は図１に示すようにヒータコア１３の上方部に位置する空気混合部１９の領域と重合する部位に配置されている。また、フット開口部２７は略扇形に形成され、略扇形の要の位置を下方側に配置しているので、フット開口部２７の開口面積は下方より上方側で拡大するようになっている。
【００４４】
このように、フット開口部２７の略扇形の要の位置を下方側に配置することにより、フェイスドア２２の回転軸２３から遠ざかる位置に略扇形の要の位置を設定できる。そして、この略扇形のフット開口部２７を開閉するために略扇形のフットドア２８が回転軸２９により回転可能に設けてある。この回転軸２９はフット開口部２７の略扇形の要の位置に配置されている。また、回転軸２９は図２の斜線部に示すように車両幅方向に延びて両端部が空調ケース１１に回転可能に支持される。
【００４５】
ここで、略扇形のフットドア２８は回転軸２９の両端部近傍にて空調ケース１１の左右の両側面壁部１１ｂの内面に沿うように配置され、左右の両側面壁部１１ｂの内面に沿って移動することにより、フット開口部２７を開閉するようになっている。略扇形のフットドア２８と回転軸２９は樹脂にて一体成形できる。フット開口部２７は空調ケース１１の車両幅方向の左右の両側面壁部１１ｂから車室内に開口して、乗員の足元部へ空調風（温風）を吹き出すものである。
【００４６】
図１において、１点鎖線２２ａはフェイスドア２２の回転軌跡範囲を示す。なお、フットドア２８は、図１に示すフット開口部２７の全開位置から反時計方向に回転してフット開口部２７上に重合する全閉位置との間で回転する。
【００４７】
従って、フェイスドア２２の回転軌跡範囲２２ａと、フットドア２８の回転軌跡範囲とが車両幅方向（フットドア２８のドア面の垂直方向）から見て一部ラップする関係に、両ドア２２、２８が配置されている。
【００４８】
そこで、両ドア２２、２８の干渉を回避するために、図２に示すようにフェイスドア２２の車両幅方向の長さＬ１よりも、左右両側の２つのフットドア２８の間隔Ｌ２を所定量だけ大きくして、左右両側の２つのフットドア２８の内側に所定間隔（例えば、５ｍｍ程度）隔ててフェイスドア２２を配置している。
【００４９】
これにより、両ドア２２、２８の回転軌跡範囲1)、2)が一部ラップする関係にあっても、フットドア２８はフェイスドア２２の車両幅方向の左右外側においてケース１１の側面壁部１１ｂの内面に沿って回転可能であり、両ドア２２、２８の干渉を回避できる。
【００５０】
また、フット開口部２７の略扇形の要の位置をフェイスドア２２の回転軸２３から遠ざかる下方位置に設定し、この下方の略扇形の要の位置に回転軸２９を配置することにより、フットドア２８の回転軸２９もフェイスドア２２との干渉を回避できる。
【００５１】
次に、フットドア２８のシール機構を図３〜図６により説明する。図３はケース１１側のフット開口部２７の具体的形状を例示するもので、図３（ａ）はフット開口部２７をケース外側から見た正面図であり、図３（ｂ）はフット開口部２７部の側面図である。
【００５２】
ケース１１の側面壁部１１ｂのうち、フット開口部２７の略扇形の要の位置（フット開口部下方の位置）に、フットドア２８の回転軸２９を回転可能に支持する軸受け穴３０が開けてある。
【００５３】
フット開口部２７はケース１１の側面壁部１１ｂの内側へ突き出す内側筒状部２７０とケース１１の側面壁部１１ｂの外側へ突き出す外側筒状部２７１とを有している。この両筒状部２７０、２７１はともに同一形状、すなわち、略扇形の閉ループ形状で側面壁部１１ｂから突出している。外側筒状部２７１は図示しないフット吹出ダクトを接続するためのダクト嵌合部を構成する。
【００５４】
そして、内側筒状部２７０の略扇形の形状のうち、外周辺、内周辺および片側（図３（ａ）の右側）の側辺からなる略コの字状部分ａ（図３（ａ）の１点鎖線ａ参照）の外側面を第１シール面Ｓ１として構成している。
【００５５】
また、内側筒状部２７０の略扇形の形状のうち、略コの字状部分ａを除く残余の一辺部、すなわち、図３（ａ）の左側の側辺を略コの字状部分ａより所定量ｈだけ一段と高くして、端面突出部２７０ａを構成している。この端面突出部２７０ａにおいて、第１シール面Ｓ１に隣接する側の内側面（図３（ａ）の右側の面）を第２シール面Ｓ２として構成している。
【００５６】
次に、フットドア２８の具体的構成を図４により説明すると、図４（ａ）はフットドア２８の正面図、図４（ｂ）はフットドア２８の右側面図、図４（ｃ）、図４（ｄ）はそれぞれ図４（ａ）のＣ−Ｃ断面図、Ｄ−Ｄ断面図である。
【００５７】
フットドア２８は平坦なドア面を構成する略扇形の樹脂板材からなるドア基板２８ａを有し、このドア基板２８ａの略扇形の要の位置近傍は連結部２８ｂを介して回転軸２９に一体に連結されている。ドア基板２８ａのうち、フット開口部２７の内側筒状部２７０に対向する面は、後述の図５（ｂ）、図６（ｂ）に示すように内側筒状部２７０の先端部上を移動するようになっている。
【００５８】
ここで、内側筒状部２７０の先端部とドア基板２８ａとの間に１ｍｍ程度の微小隙間ｂ（図５（ｂ）、図６（ｂ））を設定して、ドア基板２８ａ（フットドア２８）の移動時の摺動摩擦を防止している。
【００５９】
ドア基板２８ａの略扇形の周縁部には、第１シール材３１および第２シール材３２からなる２種類のリップ状シール材を設けている。第１シール材３１はフット開口部２７の内側筒状部２７０の第１シール面Ｓ１に接触するもので、ドア基板２８ａの略扇形の外周辺、内周辺および片側（図４（ａ）の右側）の側辺からなる略コの字状部分ｃ（図４（ａ）の１点鎖線ｃ参照）の外縁部に沿って配置される。
【００６０】
第１シール材３１は、図４（ｄ）の断面図示形状から理解されるように断面Ｌ状の薄板形状からなるリップ状シール材である。そして、断面Ｌ状の薄板形状の一方の板部３１ａがドア基板２８ａの外縁部に一体に固着され、断面Ｌ状の薄板形状の他方の板部３１ｂはドア基板２８ａの面から略垂直に突き出している。
【００６１】
この板部３１ｂは、より具体的には、図４（ｄ）に示すようにドア基板２８ａの面に対する垂直線ｄより微小角度だけ、ドア基板２８ａの内側方向に傾斜するように形成されている。この板部３１ｂの傾斜は、板部３１ｂの先端部をフット開口部２７の内側筒状部２７０の外側面である第１シール面Ｓ１により確実に接触させるためである。
【００６２】
第１シール材３１の略コの字形状をフット開口部２７の内側筒状部２７０の略コの字形状よりも所定量大きくして（図５（ｂ）、図６（ｂ）参照）、ドア基板２８ａ（フットドア２８）の移動時に第１シール材３１がフット開口部２７の内側筒状部２７０の外側を移動するようにしてある。
【００６３】
次に、第２シール材３２はフット開口部２７の内側筒状部２７０の第２シール面Ｓ２に接触するもので、ドア基板２８ａの略扇形の形状のうち、残余の片側（図４（ａ）の左側）の側辺の外縁部に沿って２点鎖線ｅ（図４参照）の範囲に直線状に配置される。
【００６４】
より具体的に説明すると、第２シール材３２も図４（ｃ）に断面図示するように断面Ｌ状の薄板形状からなるリップ状シール材である。そして、断面Ｌ状の薄板形状の一方の板部３２ａがドア基板２８ａの外縁部に一体に固着され、断面Ｌ状の薄板形状の他方の板部３２ｂはドア基板２８ａの面に沿って外方へ突き出している。
【００６５】
ここで、ドア基板２８ａの左側の側辺の外縁部には図４（ｃ）に断面図示するようにドア基板２８ａの板厚範囲より所定量拡大したフランジ部２８ｃが形成されている。このフランジ部２８ｃは図５（ｃ）に示すように端面突出部２７０ａの先端側へ突出するように形成され、このフランジ部２８ｃの外側端面に第２シール材３２の一方の板部３２ａが一体に固着されている。
【００６６】
第２シール材３２の他方の板部３２ｂは、ドア基板２８ａの板面の延長線ｆ（図４（ｃ）参照）より微小角度だけ、端面突出部２７０ａの先端側へ傾斜するように形成されている。この板部３２ｂの傾斜は、板部３２ｂの先端部を内側筒状部２７０の先端部と接触させることなく、端面突出部２７０ａの内側面である第２シール面Ｓ２に確実に接触させるために形成されている。
【００６７】
ところで、フットドア２８は、図１に示すように、フット開口部２７の右側位置へ回転操作されることによりフット開口部２７を全開する。そして、この全開位置からフットドア２８を図１の反時計方向（図５（ａ）の閉方向）に回転操作することにより、フットドア２８がフット開口部２７上に重合して、フット開口部２７の開度を全開状態から徐々に減少させる。
【００６８】
この際に、フットドア２８の第１シール材３１がフット開口部２７の内側筒状部２７０の外側の第１シール面Ｓ１から開離した状態を維持して、フットドア２８の操作力の低減を図る。そして、フットドア２８が図５、図６に示すフット開口部２７の全閉位置近傍の所定領域まで回転操作されると、第１シール材３１が始めて内側筒状部２７０の外側の第１シール面Ｓ１に接触するようになっている。
【００６９】
具体的には、フット開口部２７の内側筒状部２７０の略コの字形状において、右側の全開側の側辺の長さＬ３を左側の全閉側の側辺の長さＬ４よりも小さくしている。そして、ドア基板２８ａおよび第１シール材３１の略コの字形状もこの内側筒状部２７０の略コの字形状に対応して、右側の側辺の長さを左側の側辺の長さよりも小さくしている。
【００７０】
これにより、フットドア２８を図１に示す全開位置から反時計方向に回転操作して、フット開口部２７の開度を全開状態から減少させる際に、最初は第１シール材３１の略コの字形状において外周辺と内周辺との間隔が大きい左側部分が、内側筒状部２７０の略コの字形状において長さの小さい右側部分に外側に離れて位置し、第１シール材３１と第１シール面Ｓ１との接触を防ぐようになっている。
【００７１】
図７は図５（ｂ）、図６（ｂ）の要部拡大図で、内側筒状部２７０の外側面の先端部に第１シール材３１と第１シール面Ｓ１との接触面積（摺動面積）を減少させる面取り部（テーパ部）２７０ｂを形成している。
【００７２】
次に、上記した第１シール材３１および第２シール材３２を有するフットドア２８の製造方法を説明すると、フットドア２８のうち、ドア基板２８ａ、連結部２８ｂおよび回転軸２９はドア剛体部分であり、ポリプロピレンのような機械的強度が高く、かつ、ある程度の弾性を有する熱可塑性樹脂を射出成形により一体に成形される。
【００７３】
第１シール材３１および第２シール材３２はフット開口部２７の全閉時のシール機能を発揮する弾性材からなるものであり、弾性材の中でも特に熱可塑性エラストマーを用いて構成される。ここで、熱可塑性エラストマーは、常温ではゴム弾性を示し、一方、高温加熱時には溶融して流動性を示し、熱可塑性樹脂と同様に射出成形できるものである。
【００７４】
そのため、フットドア２８のドア剛体部分（２８ａ、２８ｂ、２９）と、第１、第２シール材３１、３２部分とを２色成形法（複合成形法）にて一体に成形できる。ここで、２色成形法（複合成形法）は周知のごとく、材質の異なる２種類の溶融樹脂を成形金型内に射出して、成形金型内において２種類の樹脂成形体を一体に接合する方法であって、本実施形態では、ドア剛体部分（２８ａ、２８ｂ、２９）の溶融樹脂を先に成形金型内に射出し、このドア剛体部分（２８ａ、２８ｂ、２９）の成形体の固化進行中に第１、第２シール材３１、３２の溶融エラストマーを射出して、成形金型内においてドア剛体部分（２８ａ、２８ｂ、２９）の成形体に第１、第２シール材３１、３２の成形体を一体に接合する。
【００７５】
なお、第１シール材３１および第２シール材３２の先端部は、例えば、０．３ｍｍ程度の微小板厚になっているので、剛性が低い。そのため、第１シール材３１および第２シール材３２の先端部の成形形状が安定せず、波状に変形しやすい。
【００７６】
そこで、本実施形態では、第１シール材３１および第２シール材３２の先端部に断面円弧状の厚肉部３１ｃ、３２ｃを形成している。この厚肉部３１ｃ、３２ｃは第１シール材３１および第２シール材３２の先端部に沿って堤状に延びる形状であり、これにより、第１シール材３１および第２シール材３２の先端部の剛性を高めて、シール材先端部の波状の変形を抑えるようにしている。
【００７７】
なお、本実施形態において、フェイスドア２２とデフロスタドア２５とフットドア２８は、吹出モード切替用のドア手段であって、各ドア２２、２５、２８の回転軸２３、２６、２９は、車両幅方向（フットドア２８のドア基板２８ａと垂直な方向）に延びるように配置されている。そして、空調ケース１１の外表面にて各回転軸２３、２６、２９は図示しないリンク機構を介して吹出モード操作機構に連結されて連動操作されるようになっている。この吹出モード操作機構は、サーボモータ等からなるアクチュエータ機構もしくは手動操作機構により構成される。
【００７８】
次に、上記構成において本実施形態の作動を説明する。本実施形態の車両用空調装置ではエアミックスドア１６により冷風バイパス通路１５の冷風風量とヒータコア１３に流入して加熱される温風風量との割合を調整して、車室内への吹出空気温度を調整する。また、吹出モード切替用のドア手段をなすフェイスドア２２、デフロスタドア２５およびフットドア２８の操作位置を選択することにより、各種吹出モードを切替設定できる。
【００７９】
この吹出モードとしては、フェイス開口部２０、２１から空調風を吹き出すフェイスモード、フェイス開口部２０、２１とフット開口部２７の両方から空調風を吹き出すバイレベルモード、フット開口部２７から空調風を主に吹き出すと同時に、少量の空調風をデフロスタ開口部２４から吹き出すフットモード、デフロスタ開口部２４から空調風を吹き出すデフロスタモード等を切替設定できる。
【００８０】
フットドア２８はケース１１の左右の側面壁部１１ｂの面に沿って回転操作されて、フット開口部２７を開閉する作用を果たす。以下、フットドア２８によるフット開口部２７の開閉作用を具体的に説明する。
【００８１】
フットドア２８は、図１に示す位置では、前述したように、フット開口部２７の右側に位置してフット開口部２７を全開する。そして、この全開位置からフットドア２８を図１の反時計方向に回転操作すると、フットドア２８のドア基板２８ａがフット開口部２７上に重合して、フット開口部２７の開度を全開状態から徐々に減少させる。
【００８２】
この際に、フットドア２８の第１シール材３１がフット開口部２７の内側筒状部２７０の外側の第１シール面Ｓ１に対して所定間隙を隔てて更に外側に離れて位置する。そのため、第１シール材３１が第１シール面Ｓ１に接触しない。また、フットドア２８のドア基板２８ａと内側筒状部２７０の先端部との間にも微小隙間ｂを設定してあるので、ドア基板２８ａの面が内側筒状部２７０の先端部と摺動することがない。
【００８３】
これにより、フットドア２８とフット開口部２７の内側筒状部２７０との間の摩擦を防止して、フットドア２８の操作力を低減できる。フット開口部２７の開度はフットドア２８の回転操作位置を調整することにより自由に選択できる。
【００８４】
そして、フットドア２８を図１の全開位置から反時計方向に所定量回転すると、フットドア２８がフット開口部２７の全閉位置近傍の所定領域（例えば、フットドア２８の全回転範囲のうち、全閉側の２０〜３０％程度の領域）に到達する。すると、フット開口部２７の内側筒状部２７０の略コの字形状の外側面で構成される第１シール面Ｓ１のうち、外周辺および内周辺の部位ではフットドア２８の略コの字状の第１シール材３１が接触し始める。
【００８５】
この際、内側筒状部２７０の外側面の先端部に面取り部（テーパ部）２７０ｂを形成して、第１シール材３１と第１シール面Ｓ１との接触面積（摺動面積）を減少させるようになっているので、第１シール材３１と第１シール面Ｓ１との間の摺動摩擦を減らすことができる。これによっても、フットドア２８の操作力を低減できる。
【００８６】
そして、フットドア２８がフット開口部２７の全閉直前位置まで回転操作されると、フットドア２８の直線状の第２シール材３２がフット開口部２７の内側筒状部２７０の端面突出部２７０ａに形成される直線状の第２シール面Ｓ２に接触し始める。このときには、第１シール面Ｓ１のうち、右側の側辺部にもフットドア２８の第１シール材３１の右側の側辺部が接触し始める。
【００８７】
これにより、フット開口部２７の内側筒状部２７０の略コの字形状の第１シール面Ｓ１の全域および直線状の第２シール面Ｓ２にフットドア２８の第１シール材３１および第２シール材３２が接触して、フットドア２８によりフット開口部２７を全閉する。
【００８８】
ところで、図５はフットドア２８が正規の全閉位置に回転操作された場合であり、この場合は、直線状の第２シール材３２が図５（ｃ）のようにドア基板部２８ａの外縁部のフランジ部２８ｃと内側筒状部２７０の端面突出部２７０ａの第２シール面Ｓ２との間で強く圧縮変形するので、フットドア２８によりフット開口部２７を確実に全閉できる。
【００８９】
これに対し、図６は、図５の正規の全閉位置よりも若干量手前の位置でフットドア２８が停止した場合を示す。このように、フットドア２８が正規の全閉位置よりも若干量手前の位置で停止することは種々の要因で発生し得る。例えば、フットドア２８の停止位置制御の精度のバラツキ、組付／加工上の寸法バラツキ、フットドア２８の駆動用アクチュエータの駆動トルク不足等の要因でフットドア２８が図６の位置で停止する場合が発生し得る。
【００９０】
図６の停止位置であると、図６（ｃ）のように直線状の第２シール材３２の変形量が減少して、第２シール材３２と第２シール面Ｓ２との間のシール性低下が懸念される。同様に、略コの字形状の第１シール材３１と第１シール面Ｓ１との間においても、第１シール材３１が第１シール面Ｓ１に接触する際の変形量が減少して、シール性低下が懸念される。
【００９１】
しかし、実際には、ケース１１内部において空調風の圧力は図６（ｃ）の矢印ｇに示すように内側筒状部２７０および端面突出部２７０ａの先端側からケース側面壁部１１ｂ側へと作用する。この風圧によって第２シール材３２は端面突出部２７０ａの第２シール面Ｓ２に強く押しつけられ、自己シール作用を発揮する。
【００９２】
また、略コの字形状の第１シール材３１の形成部位においては、風圧が図６（ａ）（ｂ）の矢印ｈに示すように略コの字形状の外側から内側方向へと作用する。この風圧によって略コの字形状の第１シール材３１も内側筒状部２７０の第１シール面Ｓ１に強く押しつけられ、自己シール作用を発揮する。
【００９３】
従って、フットドア２８が図６の位置で停止した場合でも、第１、第２シール材３１、３２が上記の自己シール作用を発揮することによってフット開口部２７を確実に全閉できる。
【００９４】
なお、薄板形状からなるリップ状の第１、第２シール材３１、３２の先端部に沿って厚肉部３１ｃ、３２ｃを堤状に形成して、シール材先端部の剛性を高めているから、シール材先端部が剛性不足により波状に変形することを抑えて、第１、第２シール材３１、３２のシール作用をより一層向上できる。
【００９５】
ところで、以上は、本実施形態における第１、第２シール材３１、３２の基本リップ形状に基づく基本シール構造に関して説明したが、この基本シール構造だけであると、実際上は、第１、第２シール材３１、３２の接続部位において次のごとき不具合が生じる。
【００９６】
図８（ａ）は本実施形態の第１、第２シール材３１、３２の基本リップ形状を示し、図８（ｂ）はこの基本リップ形状に基づく基本シール構造を示す。但し、図８（ｂ）は上述の図６の位置にてフットドア２８が停止した場合を示している。この場合には、第１、第２シール材３１、３２と第１、第２シール面Ｓ１、Ｓ２との間に細点領域で示す隙間ｉが形成される。その結果、フットドア２８の全閉時に確実なシール作用を発揮できず、風漏れや異音発生の原因となる。
【００９７】
図９（ａ）（ｂ）はこのような不具合を解消するシール構造を示すものであって、第１シール材３１の側端面と第２シール材３２の側端面とを接続する第１、第２薄膜３３、３４を第１、第２シール材３１、３２と一体に成形している。ここで、第１、第２薄膜３３、３４は板厚を０．５ｍｍ以下、より具体的には０．３ｍｍ程度に設計して容易に変形できるようにしてある。
【００９８】
図９（ａ）は第２シール材３２の自由状態を示しており、この図９（ａ）の状態では第２薄膜３４が第１シール材３１の側端面に沿って折り曲げられている。これに対し、第２シール材３２が端面突出部２７０ａの第２シール面Ｓ２に押しつけられ変形すると、第１薄膜３３を介して第２薄膜３４に引っ張り力が作用して、第２薄膜３４は図９（ｂ）に示す展開状態に広がる。
【００９９】
これにより、図８（ｂ）に示す隙間ｉの領域を第１、第２薄膜３３、３４により覆ってシールできる。その結果、隙間ｉからの風漏れを確実に防止できる。
【０１００】
なお、図９（ａ）（ｂ）では、２面の薄膜からなる第１、第２薄膜３３、３４により第１、第２シール材３１、３２の側端面相互間を接続しているが、２面の薄膜でなくても、滑らかな曲面形状（Ｒ形状）等により弾性変形が容易になっておれば、１面の薄膜のみで第１、第２シール材３１、３２の側端面相互間を接続することも可能である。
【０１０１】
（他の実施形態）
なお、上記実施形態では、第２シール材３２を２つの板部３２ａ、３２ｂからなる断面Ｌ状の比較的単純な断面形状に形成しているが、図１０に例示するように、第２シール材３２の板部３２ｂを断面波形状に折り曲げ、この断面波形状により弾性力を持たせてシール作用を発揮するようにしてもよい。
【０１０２】
また、上記実施形態では、フットドア２８を回転作動させる例について説明したが、フットドア２８を直線状に往復動（スライド）させる構成としてもよい。
【０１０３】
また、上記実施形態では、フット開口部２７およびフットドア２８の形状として、外周辺および内周辺が円弧状になっている略扇形の形状を採用しているが、フット開口部２７およびフットドア２８の形状として、外周辺および内周辺が直線形状になっている略扇形に形成してもよい。つまり、略扇形の形状とは逆台形状等の形状も含む。
【図面の簡単な説明】
【０１０４】
【図１】本発明の一実施形態における空調ユニット部の縦断面図である。
【図２】図１の空調ユニット部を車室内側からみた正面図である。
【図３】（ａ）は本発明の一実施形態によるフット開口部側のシール面形状を示す正面図で、（ｂ）は（ａ）の側面図である。
【図４】（ａ）本発明の一実施形態によるフットドア正面図、（ｂ）は（ａ）の側面図、（ｃ）は（ａ）のＣ−Ｃ断面図、（ｄ）は（ａ）のＤ−Ｄ断面図である。
【図５】本発明の一実施形態によるフットドアの正規停止状態でのフット開口部シール状態を示すもので、（ａ）は正面図、（ｂ）は（ａ）のＡ−Ａ断面図、（ｃ）は（ａ）のＡ１−Ａ１断面図である。
【図６】フットドアが図５の正規停止位置よりも若干量手前の位置で停止した場合のフット開口部シール状態を示すもので、（ａ）は正面図、（ｂ）は（ａ）のＢ−Ｂ断面図、（ｃ）は（ａ）のＢ１矢視図である。
【図７】本発明の一実施形態によるフット開口部シール状態を示す要部の拡大断面図である。
【図８】（ａ）は本発明の一実施形態による第１、第２シール材の基本リップ形状を示す要部斜視図、（ｂ）はこの基本リップ形状に基づく基本シール構造を示す要部断面図である。
【図９】（ａ）は図８（ａ）の第１、第２シール材の基本リップ形状に第１、第２薄膜を追加した状態を示す要部斜視図、（ｂ）は（ａ）の第１、第２シール材と第１、第２薄膜との組み合わせ形状に基づくシール構造を示す要部断面図である。
【図１０】第２シール材の変形例を示す要部断面図である。
【符号の説明】
【０１０５】
１１…空調ケース、１１ｂ…側面壁部、１２…蒸発器、１３…ヒータコア、
２７…フット開口部、２７０…内側筒状部、２７０ａ…端面突出部、
Ｓ１、Ｓ２…シール面、２８…フットドア、２８ａ…ドア基板、２９…回転軸、
３１、３２…シール材。
【図１】
2005119451.tif 000003
【図２】
2005119451.tif 000004
【図３】
2005119451.tif 000005
【図４】
2005119451.tif 000006
【図５】
2005119451.tif 000007
【図６】
2005119451.tif 000008
【図７】
2005119451.tif 000009
【図８】
2005119451.tif 000010
【図９】
2005119451.tif 000011
【図１０】
2005119451.tif 000012